(57)【要約】【課題】簡単且つ確実に運用モードおよび保守モードに切替可能な警備端末装置およびその保守方法を提供する。【解決手段】警備端末装置１０は、ＵＳＢポート１１を備え、保守モードの設定データが記憶されたＵＳＢメモリ１２をこのＵＳＢポート１１へ挿抜することにより運用モード又は保守モードで動作可能にする。保守プログラムを格納すると共に保守結果を記憶するメモリ２５、保守時間を管理するタイマＩＣ２４、電話回線インターフェース２１を介して保守結果を通知するダイヤル回路２２および各部の制御を行うＣＰＵ２３を備えている。【選択図】図１
2006309531.tif 000002
【特許請求の範囲】
【請求項１】
通常時には警備を行うと共に適宜に保守作業者により保守作業を可能にする警備端末装置において、
ＵＳＢポートと、保守モードの設定データが記憶されると共に前記ＵＳＢポートに挿抜可能なＵＳＢメモリと、該ＵＳＢメモリの前記ＵＳＢポートへの挿抜状態を検出する検出手段とを備え、前記ＵＳＢポートに前記ＵＳＢメモリを挿入することにより予め設定された保守作業を実行することを特徴とする警備端末装置。
【請求項２】
前記ＵＳＢメモリを前記ＵＳＢポートから抜き去ると、自動的に運用モードになることを特徴とする請求項１に記載の警備端末装置。
【請求項３】
前記ＵＳＢメモリに予め記憶された電話番号を読み取り、電話回線インターフェースを介して前記保守結果を通知するダイヤル回路を備えることを特徴とする請求項１又は２に記載の警備端末装置。
【請求項４】
時刻データを管理するタイマを備え、保守作業者が前記ＵＳＢメモリを前記ＵＳＢポートに挿入して前記保守作業を行った保守作業結果と共に保守作業時刻を管理することを特徴とする請求項１、２又は３に記載の警備端末装置。
【請求項５】
通常時には警備すると共に適宜に保守作業者により保守作業を行う警備端末装置の保守方法において、
保守モードの設定データが記録されたメモリを用意するステップと、前記メモリが前記警備端末装置の所定ポートに挿入されたことを検出するステップと、前記メモリが前記ポートに挿入されたとき、前記メモリの設定データを読み込み運用モードから保守モードに自動切り替えて保守作業を実行するステップと、前記メモリが前記ポートから抜去されると、前記運用モードに戻すステップとを備えることを特徴とする警備端末装置の保守方法。
【請求項６】
前記実行された保守作業の時刻をタイマにより管理する時刻管理ステップを備えることを特徴とする請求項５に記載の警備端末装置の保守方法。
【請求項７】
前記実行された保守作業の結果を所定の通報先へ通知する通知ステップを備えることを特徴とする請求項５又は６に記載の警備端末装置の保守方法。
【請求項８】
前記保守作業結果および前記設定データをパスワード等により保護する保護ステップを備えることを特徴とする請求項５、６又は７に記載の警備端末装置の保守方法。
【発明の詳細な説明】
【技術分野】
【０００１】
本発明は警備端末装置およびその保守方法に関し、特に通常時には運用（警備）モードで動作し、保守作業者により適時に保守作業を可能にする警備端末装置およびその保守方法に関する。
【背景技術】
【０００２】
各種情報を処理および管理するコンピュータ等の重要な設備に対しては、第三者が許可なくアクセスして情報等を盗用又は機器やデータを破壊することがないように警備端末装置を設けて保護するのが一般的である。
【０００３】
斯かる技術に関する又は関連する従来技術は、幾つかの技術文献に開示されている。設定記憶ユニットがＵＳＢコネクタに差し込まれると自動的に記憶ユニット内のプログラムを読み込むネットワーク接続端末を備えている動作環境設定支援装置及びプログラムが開示されている（例えば、特許文献１参照。）。また、対象コンピュータが、受信した保守用ソフトウエアを実行して、その結果を保守員端末に送信するコンピュータの保守作業支援システムと方法が開示されている（例えば、特許文献２参照。）。
【０００４】
【特許文献１】特開２００３−１７７９８１号公報（第５−６頁、第１図）
【特許文献２】特開２００４−３４１７０７号公報（第５−６頁、第１図）
【０００５】
図４は、従来の警備端末装置の１例の正面図を示す。この警備端末装置４０は、テンキー４１、表示部（ＬＣＤ：液晶表示パネル）４２および電源表示部（ＬＥＤ：発光ダイオード）４３を含んでいる。斯かる警備端末装置４０は、適宜保守作業を行い、常時正常に動作することを保証する必要がある。万一、この警備端末装置４０に故障が生じ、それを看過すると、重大な事態を招く虞がある。
【０００６】
斯かる警備端末装置４０の保守作業は、以下の手順で実行される。この警備端末装置４０を運用モードから保守モードに切り替えるために、保守担当者がテンキー４１を用いて予め決められた暗証コードを入力する。入力された暗証コードは、ＬＣＤ４２に表示され、確認される。そして、保守担当者は、この警備端末装置４０にて予め決められたテスト（又は保守）モードを実行する。この警備端末装置４０の動作が正常であることを確認後に、運用モードに切り替えられる。
【発明の開示】
【発明が解決しようとする課題】
【０００７】
保守作業者は、警備端末装置に装備されているテンキーを操作し、テンキーに決められたコードを入力することによって、対応した警備端末装置の機能を実行し保守点検を行うものである。或いは、警備端末装置に保守モードと呼ばれる保守作業用プログラムが組み込まれており、スイッチにて運用モードから保守モードへと切り替えて、保守作業を行うものがある。
【０００８】
前者の場合には、警備端末装置には複数の機能を有していることが当然であり、従って保守作業も複数回決められたコードを入力し、警備端末装置の機能状態を確認する必要がある。テンキーの使用は、コード表を含む作業手順書が必要となり、保守作業者の作業を複雑化させる。他方、後者の場合には、運用モードから保守モード切替時に暗証コードを入力する必要があるため、テンキーを実装するコストがかかること、暗証コードを覚えておく煩わしさがあること等の課題を有する。更に、従来の保守作業の結果は、紙媒体に記述するために、別途集計作業が必要であった。
【０００９】
本発明は、従来技術の上述の如き課題に鑑みなされたものであり、斯かる課題を解消又は軽減する、即ち簡単、迅速且つ確実に保守作業が実行可能な警備端末装置およびその保守方法を提供することを主たる目的とする。
【課題を解決するための手段】
【００１０】
前述の課題を解決するため本発明による警備端末装置およびその保守方法は次のような特徴的な構成を採用している。
【００１１】
（１）通常時には警備を行うと共に適宜に保守作業者により保守作業を可能にする警備端末装置において、
ＵＳＢポートと、保守モードの設定データが記憶されると共に前記ＵＳＢポートに挿抜可能なＵＳＢメモリと、該ＵＳＢメモリの前記ＵＳＢポートへの挿抜状態を検出する検出手段とを備え、前記ＵＳＢポートに前記ＵＳＢメモリを挿入することにより予め設定された保守作業を実行する警備端末装置。
（２）前記ＵＳＢメモリを前記ＵＳＢポートから抜き去ると、自動的に運用モードになる上記（１）の警備端末装置。
（３）前記ＵＳＢメモリに予め記憶された電話番号を読み取り、電話回線インターフェースを介して前記保守結果を通知するダイヤル回路を備える上記（１）又は（２）の警備端末装置。
（４）時刻データを管理するタイマを備え、保守作業者が前記ＵＳＢメモリを前記ＵＳＢポートに挿入して前記保守作業を行った保守作業結果と共に保守作業時刻を管理する上記（１）、（２）又は（３）の警備端末装置。
（５）通常時には警備すると共に適宜に保守作業者により保守作業を行う警備端末装置の保守方法において、
保守モードの設定データが記録されたメモリを用意するステップと、前記メモリが前記警備端末装置の所定ポートに挿入されたことを検出するステップと、前記メモリが前記ポートに挿入されたとき、前記メモリの設定データを読み込み運用モードから保守モードに自動切り替えて保守作業を実行するステップと、前記メモリが前記ポートから抜去されると、前記運用モードに戻すステップとを備える警備端末装置の保守方法。
（６）前記実行された保守作業の時刻をタイマにより管理する時刻管理ステップを備える上記（５）の警備端末装置の保守方法。
（７）前記実行された保守作業の結果を所定の通報先へ通知する通知ステップを備える上記（５）又は（６）の警備端末装置の保守方法。
（８）前記保守作業結果および前記設定データをパスワード等により保護する保護ステップを備える上記（５）、（６）又は（７）の警備端末装置の保守方法。
【発明の効果】
【００１２】
本発明の警備端末装置およびその保守方法によると、次の如き実用上の顕著な効果が得られる。先ず、ＵＳＢポートにＵＳＢメモリを挿入するのみで、保守作業が完結するので、保守作業を簡単且つ迅速に行える。また、運用モードおよび保守（テスト）モードが自動的に切り替わるので、運用モードへの戻し忘れが確実に防止可能である。更に、設定データに通報テスト用電話番号を指定するので、電話回線インターフェースを介して任意の番号に通知可能である。上述の効果に加えて、保守結果および設定データは、パスワードにて保護されているため、秘匿性が保たれ且つ第三者による悪意の操作を防止可能である。
【発明を実施するための最良の形態】
【００１３】
以下、本発明による警備端末装置およびその保守方法の好適実施例の構成および動作を、添付図面を参照して詳細に説明する。
【００１４】
先ず、図１は、本発明による警備端末装置の全体構成を示す斜視図である。この警備端末装置１０は、ＵＳＢ（Universal Serial Bus）ポート１１、このＵＳＢポート１１に挿抜可能に接続されるＵＳＢメモリ１２、電源用ＬＥＤ（発光ダイオード）１３および保守用ＬＥＤ１４を含んでいる。
【００１５】
ＵＳＢメモリ１２内には保守モードの設定データが記憶されている。保守モードのプログラム自体は、警備端末装置１０の内部のメモリに実装している。この設定データには警備端末装置１０のＬＥＤ点灯、通報テスト用電話番号およびセンサ入出力を行う定義がされている。電源用ＬＥＤ１３は、警備端末装置１０に所定の電源が供給され、正常に動作していることを、このＬＥＤ１３の点灯により表示する。また、保守用ＬＥＤ１４は、この警備端末装置１０が保守モードであることをＬＥＤ１４の点滅により表示する。
【００１６】
保守作業者によりこの警備端末装置１０のＵＳＢポート１１にＵＳＢメモリ１２が挿入されると、保守用ＬＥＤ１４が点滅する。警備端末装置１０は、ＵＳＢメモリ１２のメモリ領域に記憶してあるパスワードにより保護された設定データを読込み終えると、パスワード入力を行い、パスワードを解除すると、「運用モード」から「保守モード」へと自動的に切り替わる。もし、間違ったパスワード入力であった場合には、警備端末装置１０は、「運用モード」のまま動作し、保守用ＬＥＤ１４が消灯する。
【００１７】
ＵＳＢメモリ１２から取得された設定データが正規のものである場合には、この設定データを基に警備端末装置１０は「保守モード」を実行する。この「保守モード」で実行する項目は次のとおりである。
（１）警備端末装置１０のＩＤをメモリへ書き込む。
（２）現在の時間をメモリへ書き込む。
（３）電源用ＬＥＤ１３を除く全てのＬＥＤを点滅させ、その結果を目視にて確認する。
（４）通報テスト用電話番号に通報を行う。通報テスト用電話番号が保守作業者の携帯番号ならば保守効率が上がる。警備端末装置１０からの通報テスト後に、保守作業者は警備端末装置１０へ掛け直す。警備端末装置１０は、着信番号をメモリに記憶しておく。
【００１８】
（５）警備端末装置１０に実装されているＡＤ変換器（図示せず）を介して、アナログ入力値をメモリに記憶する。
（６）接触センサのＯＮ／ＯＦＦ結果をメモリに記憶する。  
（７）警備端末装置１０にＲＳ−２３２Ｃが実装されている場合には、警備端末装置１０のＵＳＢポート１１と変換ケーブルにて接続してシリアル通信を行う。送信、受信それぞれが終了したら、結果をメモリへ保存する。
（８）警備端末装置１０と通信機器がＬＡＮで接続している場合には、通信機器に対して警備端末装置１０はＰｉｎｇを行い、通信結果をメモリへ保存する。
（９）現在の時間をメモリへ保存する。
【００１９】
上記（１）〜（９）の全てを実行したら、警備端末装置１０のメモリに記憶しておいた保守モード実行結果にパスワードを掛けて、ＵＳＢメモリ１２へ書き込む。ＵＳＢメモリ１２への書き込みが正常に終了したら、保守用ＬＥＤ１４が消灯する。保守用ＬＥＤ１４が消灯したら、ＵＳＢメモリ１２を引き抜いて保守作業を終了する。
【００２０】
次に、図２は、本発明による警備端末装置１０の好適実施例の機能ブロック図である。図２に示す警備端末装置１０は、ＣＰＵ２３、メモリ２５、ＬＥＤ表示およびアナログ入出力を行うセンサ入出力部２７、タンパスイッチ、ＤＩＰ−ＳＷ等の接点出力部２６、電話回線インターフェース２１、ダイヤル回路２２、ホスト用ＵＳＢコントローラ２８およびＵＳＢインターフェース２９から構成される。更に、２３２Ｃ用ＩＣ（半導体集積回路）３０および２３２Ｃインターフェース３１を備えてもよい。
【００２１】
ここで、ＣＰＵ２３は、各種信号の処理や制御を行う。メモリ２５には、警備端末装置１０の基本動作プログラムおよび保守モードプログラムが記憶されている。センサ入出力部２７は、ＬＥＤの場合には、ＣＰＵ２３のＩ／Ｏポートに接続されており、信号がＨｉ時に点灯、Ｌｏｗの時消灯する。アナログ入出力の場合には、警備端末装置１０に実装されているＡ／Ｄ（アナログ・デジタル）やＤ／Ａ（デジタル・アナログ）変換用ＩＣを介してＣＰＵ２３のＩ／Ｏポートに接続される。タンパスイッチおよびＤＩＰスイッチ等のスイッチ類（図示せず）もＣＰＵ２３のＩ／Ｏポートに接続される。
【００２２】
次に、図３のフローチャートを参照して、図１および図２に示す警備端末装置１０の一連の動作を説明する。先ず、警備端末装置１０のＵＳＢポート１１にＵＳＢメモリ１２が挿入されると、接続検知を行う（ステップＳ１）。即ち、ＵＳＢメモリ１２側のＤ＋端子が、例えば３．３Ｖにプルアップされ、２ｍｓ以上アイドルさせると、警備端末装置１０は接続検知と見なし、フルスピード（１２Ｍｂｐｓ）通信を行う。
【００２３】
警備端末装置１０がＵＳＢメモリ１２の接続を検知すると、ＣＰＵ２３の保守用ＬＥＤ１４に接続されているＩ／ＯポートがＨｉおよびＬｏｗ状態を繰り返し、保守用ＬＥＤ１４が点滅する。この保守用ＬＥＤ１４が点滅した後に、ＵＳＢメモリ１２側のエンドポイント０（ＦＩＦＯ０）と警備端末装置１０側のデバイスドライバ間（バッファを用意する）でデフォルトパイプ（通信の論理接続）を用意し、コントロール転送にてコンフィギュレーションを開始する。
【００２４】
このコンフィギュレーションでは、パイプの本数や、転送モードの設定が行われる。本発明では、転送モードにバルク転送を行うものとする。バルク転送は、片方向通信であるため、エンドポイントが３つ（コントロール転送＋２）以上のＵＳＢコントローラ２８を実装する。コンフィギュレーション完了後、新しくエンドポイント（ＦＩＦＯバッファ）が追加されてパイプが構築されてアプリケーションレベルの通信が可能となる。
【００２５】
次に、ＵＳＢメモリ１２からの設定データの読込み動作（ステップＳ２）について説明する。バルクＩＮ転送（ＵＳＢメモリ１２から警備端末装置１０へのバルク転送）では、警備端末装置１０からのＩＮトークン（ＵＳＢメモリ１２から警備端末装置１０への送信トランザクションを開始する）パケット発行後データを送出する。ＵＳＢメモリ１２側でデータの送信の準備が未完了でデータの送信ができない場合には、ＮＡＫ（通信エラーや処理中により、ＵＳＢメモリ１２側でデータの送受信に失敗したこと警備端末装置１０に通知する）を送出して警備端末装置１０からのリトライを待つ。その他のエラーでデータの送出ができない場合には、ＳＴＡＬＬ（ＵＳＢメモリ１２側が何らかの異常状態であるために、通信の続行ができないことを警備端末装置１０に通知する）を送出する。
【００２６】
警備端末装置１０が正常に受取ると、警備端末装置１０はＡＣＫ（エラーなしにデータパケットを受信したことを送信側に通知する）を送出する。全てのデータを受信し終えると、警備端末装置１０は、設定データのパスワードを解除し、この設定データを基に以下の如く保守モードを実行する（ステップＳ３）。
【００２７】
（１）警備端末装置１０のＩＤデータをメモリ２５に記憶する。
（２）ＣＰＵ２３に接続されているタイマＩＣ２４からの情報をメモリ２５へ記憶する。
（３）ＣＰＵ２３のＩ／Ｏポートに接続している、電源用・保守用以外の全てのＬＥＤを点滅させる。
（４）ＣＰＵ２３のＩ／Ｏポートに接続しているダイヤル回路２２にて信号が変換されて出力され、電話回線インターフェース２１を介して通報テスト用電話番号へ発報する。警備端末装置１０からの通報テスト後に、保守作業者は警備端末装置１０へ掛け直す。警備端末装置１０は、受信した電話番号をメモリ２５に記憶する。
（５）警備端末装置１０に接続されているセンシング機器からのアナログ値を警備端末装置１０に実装されているＡＤ変換器を介して、デジタル値に変換してメモリ２５に記憶する。
（６）ＣＰＵ２３のＩ／Ｏポートに接続されている接触センサのＯＮ・ＯＦＦ結果をメモリ２５に記憶する。
【００２８】
（７）警備端末装置１０のＲＳ−２３２ＣポートとＵＳＢポート１１とは変換ケーブルにて保守作業者が接続し、ＣＰＵ２３のＩ／Ｏポートに接続されているＲＳ−２３２ＣのＩＣ３０にてＵＳＢポート１１へデータ送信を行う。送信終了後に、警備端末装置１０のＵＳＢポート１１から２３２Ｃポートへデータ送信を行う。その結果を警備端末装置１０のメモリ２５へ記憶する。
（８）警備端末装置１０と通信機器がＬＡＮで接続している場合には、この通信機器に対して警備端末装置１０はＰｉｎｇを行う。通信結果をメモリ２５へ記憶する。
（９）ＣＰＵ２３に接続されているタイマＩＣ２４からの情報をメモリ２５へ記憶する。
【００２９】
警備端末装置１０のメモリ２５に保存されている上記（１）〜（９）にて行った保守モードの結果にパスワードを掛けてＵＳＢメモリ１２へ書き込む動作を行う（ステップＳ４）。バルクＯＵＴ転送では、警備端末装置１０がＵＳＢメモリ１２へＯＵＴトークン（警備端末装置１０からＵＳＢメモリ１２へ送信トランザクションを開始する）発行後、データ送出を行う。データの受信がエラーなく行われると、警備端末装置１０は、ＵＳＢメモリ１２へＡＣＫを送信する。一方、エラーがあると、ＵＳＢメモリ１２は、ＮＡＫ又はＳＴＡＬＬを警備端末装置１０へ送信する。データ送信が終了すると、警備端末装置１０のＣＰＵ２３は、保守用ＬＥＤ１４に接続されているＩ／ＯポートをＬｏｗにして消灯させる。
【００３０】
以上、本発明による警備端末装置およびその保守方法の好適実施例の構成および動作を詳述した。しかし、斯かる実施例は、本発明の単なる例示に過ぎず、何ら本発明を限定するものではないことに留意されたい。本発明の要旨および精神を逸脱することなく、特定用途に応じて種々の変形変更が可能であること、当業者には容易に理解できよう。
【００３１】
例えば、上述した警備端末装置の好適実施例では、１個のＵＳＢポート１１のみを示したが、ＵＳＢポートの個数は限定されず、Ｎ（任意の整数）個に拡張可能である。ＵＳＢメモリ１２を警備端末装置１０の適当なＵＳＢポートに差し込むことにより、ファームウェアのバージョンアップも可能である。
【図面の簡単な説明】
【００３２】
【図１】本発明による警備端末装置の好適実施例の外観を示す斜視図である。
【図２】図１に示す警備端末装置の内部構成を示す機能ブロック図である。
【図３】図１および図２に示す警備端末装置の動作を説明するフローチャートである。
【図４】従来の警備端末装置の外観を示す斜視図である。
【符号の説明】
【００３３】
１０  警備端末装置
１１  ＵＳＢポート
１２  ＵＳＢメモリ
２１  電話回線インターフェース
２２  ダイヤル回路
２３  ＣＰＵ（処理装置）
２４  タイマＩＣ
２５  メモリ
【図１】
2006309531.tif 000003
【図２】
2006309531.tif 000004
【図３】
2006309531.tif 000005
【図４】
2006309531.tif 000006